【手続補正書】
【提出日】令和1年10月24日(2019.10.24)
【手続補正１】
【補正対象書類名】明細書
【補正対象項目名】０００９
【補正方法】変更
【補正の内容】
【０００９】
上記目的を達成するために、本発明の撮像装置は、発光部の照射方向を変更することができる照明装置を備え、若しくは装着することができ、さらに各種スイッチを備え、対象物の測距結果に基づいて前記発光部の照射方向を決定し、該決定された照射方向へ前記発光部を駆動するオートバウンス駆動制御を実行する撮像装置であって、前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、前記オートバウンス駆動制御に関連しないスイッチはボタン又はダイヤルスイッチであることを特徴とする。
【手続補正２】
【補正対象書類名】明細書
【補正対象項目名】００１０
【補正方法】変更
【補正の内容】
【００１０】
上記目的を達成するために、本発明の撮像システムは、発光部の照射方向を変更することができる照明装置と、撮像装置と、前記照明装置及び前記撮像装置の少なくとも一方が有する各種スイッチとを備え、対象物の測距結果に基づいて最適な前記発光部の照射方向を決定し、該決定された照射方向へ前記発光部を駆動するオートバウンス駆動制御を実行する撮像システムであって、前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、前記オートバウンス駆動制御に関連しないスイッチはボタン又はダイヤルスイッチであることを特徴とする。
【手続補正３】
【補正対象書類名】明細書
【補正対象項目名】００１１
【補正方法】変更
【補正の内容】
【００１１】
上記目的を達成するために、本発明の自動照射方向制御方法は、発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス駆動制御を実行する撮像装置における自動照射方向制御方法であって、前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、前記オートバウンス駆動制御に関連しないスイッチはボタン又はダイヤルスイッチであることを特徴とする。
【手続補正４】
【補正対象書類名】明細書
【補正対象項目名】００１２
【補正方法】変更
【補正の内容】
【００１２】
上記目的を達成するために、本発明の照明装置は、対象物の測距結果に基づいて発光部からの光の照射方向を決定し、各種スイッチを備え、前記決定された照射方向へ前記発光部を駆動するオートバウンス駆動制御を実行可能な照明装置であって、前記オートバウンス駆動制御中に、前記撮像装置が備える前記各種スイッチのうち前記オートバウンス駆動制御に関連しないスイッチが操作された場合は、前記オートバウンス駆動制御の実行を優先し、前記オートバウンス駆動制御中に、前記撮像装置が備える前記各種スイッチのうち前記オートバウンス駆動制御に関連するスイッチが操作された場合は、前記スイッチの操作に関連する制御の実行を優先し、前記オートバウンス駆動制御に関連しないスイッチは、前記照明装置が備えるボタン又はダイヤルスイッチであることを特徴とする。
また、上記目的を達成するために、本発明の撮像装置は、発光部からの光の照射方向を変更することができる照明装置を備え、若しくは装着することができ、さらに各種スイッチを備え、対象物の測距結果に基づいて前記発光部の照射方向を決定し、該決定された照射方向へ前記発光部を駆動するオートバウンス駆動制御を実行する撮像装置であって、前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、前記オートバウンス駆動制御中に前記オートバウンス駆動制御に関連しないスイッチが操作された場合は、前記スイッチの操作が禁止されている旨を通知することを特徴とする。
【手続補正５】
【補正対象書類名】特許請求の範囲
【補正対象項目名】全文
【補正方法】変更
【補正の内容】
【特許請求の範囲】
【請求項１】
発光部の照射方向を変更することができる照明装置を備え、若しくは装着することができ、さらに各種スイッチを備え、対象物の測距結果に基づいて前記発光部の照射方向を決定し、該決定された照射方向へ前記発光部を駆動するオートバウンス駆動制御を実行する撮像装置であって、
前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、
前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、
前記オートバウンス駆動制御に関連しないスイッチはボタン又はダイヤルスイッチであることを特徴とする撮像装置。
【請求項２】
前記オートバウンス駆動制御中に前記オートバウンス駆動制御に関連しないスイッチが操作された場合は、前記スイッチの操作を無効として前記スイッチの操作に関連する制御を実行しないことを特徴とする請求項１記載の撮像装置。
【請求項３】
前記オートバウンス駆動制御中に前記オートバウンス駆動制御に関連しないスイッチが操作された場合は、前記スイッチの操作が禁止されている旨を通知することを特徴とする請求項１又は２記載の撮像装置。
【請求項４】
前記オートバウンス駆動制御に関連するスイッチは、前記オートバウンス駆動制御の実行を中断させるためのスイッチであることを特徴とする請求項１乃至３のいずれか１項に記載の撮像装置。
【請求項５】
前記オートバウンス駆動制御に関連するスイッチは、少なくともオートバウンスモード切り替えスイッチ、オートバウンス開始スイッチ及び照明装置電源スイッチのいずれかを含むことを特徴とする請求項１乃至４のいずれか１項に記載の撮像装置。
【請求項６】
発光部の照射方向を変更することができる照明装置と、撮像装置と、前記照明装置及び前記撮像装置の少なくとも一方が有する各種スイッチとを備え、対象物の測距結果に基づいて最適な前記発光部の照射方向を決定し、該決定された照射方向へ前記発光部を駆動するオートバウンス駆動制御を実行する撮像システムであって、
前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、
前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、
前記オートバウンス駆動制御に関連しないスイッチはボタン又はダイヤルスイッチであることを特徴とする撮像システム。
【請求項７】
発光部の照射方向を変更することができる照明装置を備え、若しくは装着することができ、さらに各種スイッチを備え、対象物の測距結果に基づいて最適な前記発光部の照射方向を決定し、該決定された照射方向へ前記発光部を駆動するオートバウンス駆動制御を実行する撮像装置における自動照射方向制御方法であって、
前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、
前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、
前記オートバウンス駆動制御に関連しないスイッチはボタン又はダイヤルスイッチであることを特徴とする自動照射方向制御方法。
【請求項８】
対象物の測距結果に基づいて発光部からの光の照射方向を決定し、各種スイッチを備え、前記決定された照射方向へ前記発光部を駆動するオートバウンス駆動制御を実行可能な照明装置であって、
前記オートバウンス駆動制御中に、前記撮像装置が備える前記各種スイッチのうち前記オートバウンス駆動制御に関連しないスイッチが操作された場合は、前記オートバウンス駆動制御の実行を優先し、
前記オートバウンス駆動制御中に、前記撮像装置が備える前記各種スイッチのうち前記オートバウンス駆動制御に関連するスイッチが操作された場合は、前記スイッチの操作に関連する制御の実行を優先し、
前記オートバウンス駆動制御に関連しないスイッチは、前記照明装置が備えるボタン又はダイヤルスイッチであることを特徴とする照明装置。
【請求項９】
発光部からの光の照射方向を変更することができる照明装置を備え、若しくは装着することができ、さらに各種スイッチを備え、対象物の測距結果に基づいて前記発光部の照射方向を決定し、該決定された照射方向へ前記発光部を駆動するオートバウンス駆動制御を実行する撮像装置であって、
前記オートバウンス駆動制御中に、前記撮像装置が備える前記各種スイッチのうち前記オートバウンス駆動制御に関連しないスイッチが操作された場合は、前記スイッチの操作に関連する制御及び前記オートバウンス駆動制御のうち、前記オートバウンス駆動制御の実行を優先し、
前記オートバウンス駆動制御中に、前記撮像装置が備える前記各種スイッチのうち前記オートバウンス駆動制御に関連するスイッチが操作された場合は、前記スイッチの操作に関連する制御及び前記オートバウンス駆動制御のうち、前記スイッチの操作に関連する制御の実行を優先し、
前記オートバウンス駆動制御中に前記オートバウンス駆動制御に関連しないスイッチが操作された場合は、前記スイッチの操作が禁止されている旨を通知することを特徴とする撮像装置。
【請求項１０】
前記オートバウンス駆動制御に関連しないスイッチは、操作によって前記照明装置に振動を生じさせる可能性があるスイッチであることを特徴とする請求項１記載の撮像装置。